(57)【要約】【課題】構造が簡単で耐久性に優れ、安価かつ容易に製造でき、かつ容易に紐状体の長さ調整が行える部材であって、首紐型装飾品に使用すると、装着時に違和感が無く、コンパクトかつ軽量で、審美性に優れている、紐状体の長さ調整部材。【解決手段】貫通孔２に対面する係止用孔３の間に設けられた貫通孔１を有する中空構造から構成される、紐状体５の長さ調整部材１０であって、係止用孔３で紐状体５の末端を係止し、貫通孔１、２にその紐状体を挿通して紐状体５の長さを調整するために使用される調整部材。【選択図】図１
0003172196.tif 000002
【実用新案登録請求の範囲】
【請求項１】
貫通孔２に対面する係止用孔３の間に設けられた貫通孔１を有する中空構造から構成される、紐状体５の長さ調整部材１０であって、係止用孔３で紐状体５の末端を係止し、貫通孔１、２にその紐状体を挿通して紐状体５の長さを調整するために使用される調整部材。
【請求項２】
外径２．５ｍｍ、内径２．０ｍｍ、全長１５．０ｍｍの金属管製であり、末端から５．０ｍｍの位置に横幅４．０ｍｍ、縦幅２．０ｍｍの横長楕円形の貫通孔１が形成されている請求項１の調整部材。
【請求項３】
外径３．５ｍｍ、内径３．０ｍｍ、全長２３．０ｍｍの金属管製であり、末端から８．０ｍｍの位置に横幅５．０ｍｍ、縦幅３．０ｍｍの横長楕円形の貫通孔１が形成されている請求項１の調整部材。
【請求項４】
請求項１〜３いずれか１項記載の調整部材を紐状体と組み合わせて使用した首紐型装飾品。
【請求項５】
上面及び底面の全長３０ｍｍ、幅３４ｍｍ、側面高さ８ｍｍ、２ｍｍ厚の平らな中空直方体であり、１の対面する側面は開口して貫通孔２及び係止用孔３を形成し、貫通孔２の端から１３ｍｍの平面上部に、３０×６ｍｍの貫通孔１が位置している調整部材。
【請求項６】
請求項５記載の調整部材を紐状体と組み合わせて使用した鞄。
【考案の詳細な説明】
【技術分野】
【０００１】
本考案は、紐状体の長さ調整部材の改良に関するものである。本考案は、織編紐、チェーン等の紐状体や、鞄紐、ベルトその他の長さ調整に使用可能な長さ調整部材の構造に関する。
【背景技術】
【０００２】
ネックレス等の装身具や、身分証、通行証、電子機器等を首に吊り下げるための環状紐状体は、長めのものを適切な長さに調整すると共に、着脱を容易にするために、例えば紐状体を係止部材を用いて結合して環状としている。しかし、長さ調整部材を使用しない場合は予め紐状体を適切な長さに切断して両端を結合する部材を使用する必要があり、係止部材及び長さ調整部材を共に使用する場合は部材数が多いため装着時に違和感があり、重量が増大し、審美性も劣る。一方、長さ調整機能付き係止部材として、通常使用される面ファスナー、多段ホック、機械構造付き部材などは、可動域を確保するため嵩高いか、構造が複雑であり製造費用がかかる問題があった。鞄の肩掛けベルト等においてもやはり同様な問題があった。
【考案の概要】
【考案が解決しようとする課題】
【０００３】
本考案は、構造が簡単であるため安価で容易に製造でき、紐状体の長さ調整が容易に行え、装着時に違和感が無く、コンパクトかつ軽量で、審美性に優れた長さ調整部材を提供することを目的とする。
【課題を解決するための手段】
【０００４】
本考案は、貫通孔２に対面する係止用孔３の間に設けられた貫通孔１を有する中空構造から構成される、紐状体５の長さ調整部材１０であって、係止用孔３で紐状体５の末端を係止し、貫通孔１、２にその紐状体を挿通して紐状体５の長さを調整するために使用される調整部材に関する。
【考案の効果】
【０００５】
本考案の紐状体の長さ調整部材は、部材構造自体に稼動部が無いため構造が簡単で耐久性に優れ、安価かつ容易に製造できる利点がある。本考案の長さ調整部材は、紐状体と調整部材の貫通孔との相互関係を変更することにより、容易に調整部材内に挿通された紐状体を滑らせて移動させ、摩擦により係止することにより長さ調整が行える。本考案の長さ調整部材を首紐型装飾品に使用すると、装着時に違和感が無く、コンパクトかつ軽量で、審美性に優れている。
本考案の調整部材を紐状体と組み合わせて使用した首紐型装飾品はそれ単体でも使用でき、ペンダント、身分証、通行証、電子機器等を吊り下げるために好適に使用できる。使用場所も首、腕、足首などの人体の他、鍵等の小物を吊り下げるためのリング等にも使用できる。また、本考案の調整部材をベルトと組み合わせて、鞄その他のベルト長さを調整することもできる。
【図面の簡単な説明】
【０００６】
【図１】本考案の調整部材の一例である（実施例１）。
【図２】図１の調整部材を首紐型装飾品に使用した例である（実施例１）。
【図３】本考案の調整部材の別の一例である（実施例２）。
【図４】図３の調整部材を首紐型装飾品に使用した例である（実施例２）。
【図５】幅広ベルト用の本考案の調整部材である（実施例３）。
【考案を実施するための形態】
【０００７】
本考案の長さ調整部材１０は、部材の一方から他方へと貫通する貫通孔（１、２）を有し、かつ、一方の貫通孔２に対面して併設された係止用孔３とを有する中空構造からなり、係止用孔３で紐状体の末端を係止し、貫通孔１、２にその紐状体を挿通して紐状体の長さを調整するために使用される。
貫通孔１及び２の部材内での位置及びこれらの最低断面積は、長さ調整時には紐状体が通過し、使用時には紐状体を充分摩擦係止するように、紐状体の形状、大きさに合わせて適宜選択できる。貫通孔及び係止用孔の断面積は、紐状体の断面積と殆ど同一が好ましいが、長さ調整時には紐状体が通過し、使用時に紐状体が充分摩擦係止するのであれば紐状体の断面積と異なっていてもよい。
本考案の長さ調整部材は、紐状体の末端を係止用孔３に挿入して固定すると共に、貫通孔に紐状体を通し、貫通孔で紐状体を移動させることにより使用する。紐状体は、長さ調整が可能であれば、二個を組み合わせても一個のみを使用しても良い。
【０００８】
本考案の１の態様の調整部材は、開口した両端の間に貫通孔１を有する中空管である（図１及び３）。開口部の一方は貫通孔２、反対側の開口部は係止用孔３として使用される。この調整部材は、中空管を切断し、貫通孔１を開けるだけで製造できる。貫通孔１は、孔中心が貫通孔２から中空管全長の１／４〜３／４、好ましくは１／４〜１／２、最も好ましくは約１／３の位置にある。中空管の断面、外径、貫通孔及び係止用孔の大きさは目的を達成できればどのようなものでもよく、断面が円形、四角形の中空管は容易に入手可能であり、貫通孔１の形状は、円形又は楕円形が製造に好適である。
本考案の調整部材の係止用孔へ紐状体の末端を係止するには、接着材を用いても融着してもよいし、調整部材が金属製なら、紐状体を係止用孔へ挿入して加締めてもよく、ネジ等で固定しても良い。
【０００９】
本考案の別の態様の調整部材は、平らな中空直方体であって、底面に垂直な４つの側面中、対面する２つの側面は開口しており、上面に貫通孔１が形成されているものである（図５）。側面開口部の一端は貫通孔２、反対側の端は係止用孔３として使用される。上面の貫通孔１は、好ましくは長方形である。貫通孔２が位置する端から係止用孔３が位置する端までの距離を全長とすると、長方形貫通孔１の中心線は、貫通孔２から全長の１／４〜３／４、好ましくは１／４〜１／２、最も好ましくは約１／３の位置にある。長方形貫通孔の幅は目的を達成できればどのようなものでもよいが、例えば、全長の１／５である。
【００１０】
本考案の調整部材の材質は、通常採用される金属又はプラスチックでよい。貫通孔及び係止用孔を備えた本考案の調整部材は、通常のプレス加工、射出成形等の製造加工技術によって容易に製造できる。
【００１１】
本考案の調整部材と組み合わせて使用する紐状体の材質としては、皮革、金属、並びに合成及び天然繊維が挙げられ、その構造は素材その物のテープ又はロープ、鎖、織編物等であってもよい。装飾用に好ましくは皮革、金属鎖であり、実用的に好ましくは高強度ワイヤー入り合成繊維の織編物でもよく、鞄用に好ましくは皮革又は織編ベルトである。
【００１２】
本考案の調整部材は、紐状体の通過及び係止は摩擦力に依存するので、紐状体の材質、形状と調整部材の材質、形状の組み合わせが目的とする機能の達成に重要となる。本考案の好ましい態様を、下記に詳細に説明する。以下、本考案を実施例に基づいて説明する。
【実施例】
【００１３】
実施例１
図１は本考案の調整部材であり、図２はこれを使用した首紐型装飾品である。
調整部材は金属管製であり、全長は１５．０ｍｍ、貫通孔２及び係止用孔３の外径は２．５ｍｍ、内径は２．０ｍｍである。貫通孔２から貫通孔１の中心までの距離は５．０ｍｍであり、貫通孔１は、横幅４．０ｍｍ、縦幅２．０ｍｍの横長楕円形である。紐状体は全長約７０ｃｍ、直径約１．５ｍｍの金属鎖であり、両端はそれぞれの調整部材の係止用孔３に挿入され接着材で固着されている。この態様であると容易に長さ調整が可能であると共に、首回りに装着したときに違和感が無く、審美性に優れる。装着する際には調整部材を移動させて紐状体が二重になっている部分を減らし、装着後は紐状体が二重になっている部分を増やして適切な長さに調整する。
【００１４】
実施例２
図３は実施例１よりも一回り大きな調整部材であり、図４はこれを使用した首紐型装飾品である。
調整部材は金属管製であり、全長は２３．０ｍｍ、貫通孔２及び係止用孔３の外径は３．５ｍｍ、内径は３．０ｍｍである。貫通孔２から貫通孔１の中心までの距離は８．０ｍｍであり、貫通孔１は、横幅５．０ｍｍ、縦幅３．０ｍｍの横長楕円形である。紐状体は全長約６８ｃｍ、直径約２．０ｍｍの革製丸紐であり、両端はそれぞれの調整部材の係止用孔３に挿入され加締められている。この態様であると実施例１と同様の効果を得られる。
【００１５】
実施例３
図５は幅広ベルト用の本考案の調整部材である。使用態様は実施例１又は２の部材と同様であり、２個の部材をセットにして使用しても良いし、紐状体を単なる環状具に通して１個のみで使用しても良い。使用する紐状体として、例えば鞄の肩掛けベルトやウェストベルト等が挙げられる。
調整部材は２ｍｍ厚の真鍮で製造された平らな中空直方体である。１の対面する側面は開口して貫通孔２及び係止用孔３を形成し、貫通孔２の端から係止用孔３の端までの距離（上面及び底面の全長）３０ｍｍ、幅（開口していない側面部の長さ）３４ｍｍ、厚み（側面高さ）８ｍｍであり、外側の角は面取りされている。貫通孔２の端から１３ｍｍの平面上部を中心として、３０×６ｍｍの貫通孔１が位置する。使用される紐状体は、例えば幅約３０ｍｍ、厚み２〜３ｍｍの皮革ベルトであり、貫通孔１から貫通孔２まで挿通される。紐状体は、係止用孔３の端から７ｍｍ、左右両端から１２ｍｍの位置にイモネジにより係止可能である。組み合わせて使用される紐状体の幅は３０ｍｍ以下、好ましくは３０ｍｍであり、厚みは１〜６ｍｍ以下、好ましくは２〜５．５ｍｍ、最も好ましくは２〜４ｍｍである。貫通孔１の側壁中、貫通孔２と反対側に位置する側壁は、上面と直角では無く３０〜６０°程度の角度となるように形成される。紐状体厚みが３ｍｍ程度の場合、角度は約３０〜４５°であると好ましい。この角度であると調整部材及び紐状体間の移動が円滑になる。
上記部材のサイズは、例えば、紐状体の厚み２〜３ｍｍ、紐状体の幅１０〜１８ｍｍ用に小型化できる。その場合、部材の全長１５〜２０ｍｍ、幅１７〜２４ｍｍ、厚み４〜６ｍｍ程度になる。
【符号の説明】
【００１６】
１：貫通孔
２：貫通孔
３：係止用孔
５：紐状体
１０：調整部材
【図５】
0003172196.tif 000003
【図１】
0003172196.tif 000004
【図２】
0003172196.tif 000005
【図３】
0003172196.tif 000006
【図４】
0003172196.tif 000007